(57)【要約】【課題】物干し具が予期せぬ急な強風や暴風が吹いた場合でも転倒したり、吹き飛ばされたりしないようにするための物干し具用の重石であって、様々な形態の物干し具に対し適用できる物干し具用の重石を提供することを目的とする。【解決手段】重石本体に、物干し具の縦支柱又は脚部を挿通させるための挿通孔が設けられ、該挿通孔は、重石本体を略上下方向に貫通する貫通孔となされると共に、前記縦支柱を支持して略垂直方向に保持する縦支柱支持部と、所定角度に傾けて設置される前記脚部を支持して前記所定角度に保持する脚部支持部とを備えるようにした。【選択図】        図１
2020081729.tif 000002
【特許請求の範囲】
【請求項１】
物干し具用の重石であって、
重石本体に、物干し具の縦支柱又は脚部を挿通させるための挿通孔が設けられ、
該挿通孔は、重石本体を略上下方向に貫通する貫通孔となされると共に、
前記縦支柱を支持して略垂直方向に保持する縦支柱支持部と、所定角度に傾けて設置される前記脚部を支持して前記所定角度に保持する脚部支持部とを備えたことを特徴とする物干し具用の重石。
【請求項２】
挿通孔は、重石本体の平面視略中心位置に設けられていることを特徴する請求項１に記載の物干し具用の重石。
【請求項３】
脚部支持部は、縦支柱支持部の上側又は／及び下側に隣接して設けられていることを特徴とする請求項１又は２に記載の物干し具用の重石。
【請求項４】
脚部支持部は、縦支柱支持部の上端から上方に向けて挿通孔が少なくとも一方向に拡径するようにして設けられていることを特徴とする請求項１乃至３のいずれかに記載の物干し具用の重石。
【発明の詳細な説明】
【技術分野】
【０００１】
本発明は、物干し具用の重石に関するものであり、より詳しくは、ベランダやバルコニーなどに設置して用いる物干し具が強風で倒れたり、吹き飛ばされたりするのを防止するために用いる重石に関するものである。
【背景技術】
【０００２】
従来から、左右一対の縦支柱を床面に立設し、その縦支柱間に物干し竿を差し渡してこれに洗濯ものを干すようにした物干し具がある（特許文献１）。このような物干し具においては、前記左右一対の縦支柱を立設するために物干し台が用いられる。この物干し台については、特許文献１に記載のコンクリート製のものもあれば、近年は内部が中空に形成され樹脂材料により成型された物干し台の中空部に砂や水を注入して用いるものもある（特許文献２）。
【０００３】
また、側面視において２本の棒状体がＸ字状に交差軸着されて開閉自在となされた脚体が左右一対に設けられ、当該一対の脚体の上端部間に物干し用横桟が差し渡されてなる物干し具がある（特許文献３）。
これらの物干し具は、必要に応じてベランダやバルコニーなどの好適な場所に簡易に設置できるので大変有用である。
【先行技術文献】
【特許文献】
【０００４】
【特許文献１】特開平０８−１６４２９７号公報
【特許文献２】特開２００１−１６２０９６号公報
【特許文献３】特開２０１６−１３７１８３号公報
【発明の概要】
【発明が解決しようとする課題】
【０００５】
しかしながら、近年は都市部においてマンションが乱立し、またマンションの大型化や高層化が更に進むにつれ、所謂ビル風が強く吹くことが多くなっている。また、近年の異常気象により予期せず急な暴風が吹くことがある。
そのような場合、上記従来の物干し具においては、強風や暴風によって倒れてしまったり、吹き飛ばされてしまったりする恐れがある。
【０００６】
本発明は上記の課題を克服するためのものであり、物干し具が予期せぬ急な強風や暴風が吹いた場合でも転倒したり、吹き飛ばされたりしないようにするための物干し具用の重石を提供することを目的とする。
【課題を解決するための手段】
【０００７】
上記目的を達成するために、本発明は次のような構成としている。すなわち、本発明に係る物干し具用重石は、重石本体に、物干し具の縦支柱又は脚部を挿通させるための挿通孔が設けられ、該挿通孔は、重石本体を略上下方向に貫通する貫通孔となされると共に、
【０００８】
前記縦支柱を支持して略垂直方向に保持する縦支柱支持部と、所定角度に傾けて設置される前記脚部を支持して前記所定角度に保持する脚部支持部とを備えたことを特徴とする。
【０００９】
本発明に係る物干し具用の重石によれば、重石本体に物干し具の縦支柱又は脚部を挿通させるための挿通孔が設けられ、当該挿通孔は、重石本体を略上下方向に貫通する貫通孔となされると共に、前記縦支柱を支持して略垂直方向に保持する縦支柱支持部と、所定角度に傾けて設置される前記脚部を支持して前記所定角度に保持する脚部支持部とを備えるようにしているため、上述の特許文献１に記載した物干し具にも、また特許文献２に記載した物干し具にも用いることができ、その縦支柱又は脚部を支持して重石の役割を果たすので、物干し具が強風や暴風で転倒したり、吹き飛ばされたりする恐れが少なくなる。
【００１０】
また、本発明に係る物干し具において、前記挿通孔を重石本体の平面視略中心位置に設けるようにすれば、３６０°いずれの水平方向へも物干し具が転倒したり吹き飛ばされたりするのを好適に防止できる。
【００１１】
さらに、前記脚部支持部を縦支柱支持部の上側又は／及び下側に隣接して設けるようにすれば、前記脚部支持部と縦支柱支持部とを一体的に形成できるので好ましい。
【００１２】
また、前記脚部支持部は、縦支柱支持部の上端から上方に向けて挿通孔が少なくとも一方向に拡径するようにして設けられているようにすれば、簡単な構成で様々な形態の物干し具の重石として利用することが可能となる。
【発明の効果】
【００１３】
本発明に係る物干し具用の重石によれば、重石本体に物干し具の縦支柱又は脚部を挿通させるための挿通孔が設けられ、当該挿通孔は、重石本体を略上下方向に貫通する貫通孔となされると共に、前記縦支柱を支持して略垂直方向に保持する縦支柱支持部と、所定角度に傾けて設置される前記脚部を支持して前記所定角度に保持する脚部支持部とを備えるようにしているため、様々な種類、形態の物干し具用の重石として使用でき、物干し具が強風や暴風で転倒したり、吹き飛ばされたりするのを防止することができる。
【図面の簡単な説明】
【００１４】
【図１】本発明に係る物干し具用の重石の一実施形態を示す斜視図である。
【図２】図１に示した物干し具用の重石の六面図であり、（ａ）は平面図、（ｂ）は左側面図、（ｃ）は正面図、（ｄ）は右側面図、そして（ｅ）は底面図である。
【図３】図２における（ａ）Ａ−Ａ線断面図、（ｂ）Ｂ−Ｂ断面図および（ｃ）Ｃ−Ｃ断面図である。
【図４】図１に示した物干し具用の重石を物干し具の物干し台の上に置いて使用する使用状態図である。
【図５】図１に示した物干し具用の重石を、別の形態の物干し具に使用した使用状態図である。
【図６】（ａ）図４に示した物干し具用の重石の使用状態における物干し具の縦支柱が挿通された状態の説明図（断面図）、及び（ｂ）図５に示した物干し具用の重石の使用状態における、物干し具の縦支柱が挿通された状態の説明図（断面図）である。
【図７】図１に示した物干し具用の重石を、更に別の形態の物干し具に使用した状態を示す使用状態図である。
【発明を実施するための形態】
【００１５】
次に、本発明を実施するための最良の形態について図面を参照し、具体的に説明する。
【００１６】
図１〜図３は、本発明に係る物干し具用の重石の一実施形態を示すものであり、図１は本実施形態に係る物干し具用の重石１の斜視図を、図２は六面図を示すものである。
【００１７】
図１及び図２に示すように、本実施形態に係る物干し具用の重石１は、重石本体２の略中心位置に重石本体２を上下方向に貫通する挿通孔３が形成されてなるものである。本実施形態における重石１は、略直方体形状の重石本体２の角部が丸められた形状となされ、その一側壁に持ち手４が突設されている。また、重石本体２の底面の四隅には、下方に突設するようにして支持脚２１がそれぞれ設けられている。
【００１８】
重石１は樹脂材料により成型されるものであって、図３に示すように重石本体２内部は空洞となされ（中空部２５）、上面にはキャップ５が着脱自在に設けられている。これにより重石１を持ち運ぶ際には持ち手４を持って非常に軽く持ち運ぶことができ、重石として使用する際には、キャップ５を取り外して重石本体２内の空洞部に砂及び水を注入して重量を増し、使用することができる。尚、重石本体２や持ち手４、支持脚２１の形状は、本実施形態の形状に限られるものではない。
【００１９】
また、図１〜図３に示すように、重石本体２の略中心位置に、上述のとおり挿通孔３が形成されている。図３に示すように、挿通孔３は、重石本体２を上下方向に貫通する貫通孔となされ、その高さ方向中間位置に垂直方向に延びる円筒状の孔として縦支柱支持部３１が形成され、また縦支柱支持部３１の上側に隣接して上方に向かうにつれ重石本体２の長手方向に拡径するテーパ状の孔として脚部支持部３２が形成されている。更に、縦支柱支持部３１の下側に隣接して下方に向かうにつれ重石本体２の長手方向に拡径するテーパ状の孔として脚部支持部３３が形成されている。以上のような構成を備えた本実施形態における物干し具用の重石１は、図４及び図５に記載のとおり使用されるので、以下に説明する。
【００２０】
図５は、本発明に係る物干し具用の重石の一使用状態を示す図である。ここに示す物干し具６は、上端部に水平方向に延びる腕部６１１ａを備えた縦支柱６１１の下端部を縦支柱固定台６２２によって立設させて物干し台６１を形成し、この物干し台６１を左右に一対、所定間隔を空けて配置すると共に左右の腕部６１１ａ、６１１ａ間に物干し竿を差し渡して用いる物干し具７用の重石として使用する状態を示す図である。
【００２１】
この使用状態に示すように、重石１は、縦支柱固定台６１２の上に載置され、その挿通孔３に物干し具６の縦支柱６１１を挿通させて使用することができる。これにより、中空部２５に注入された砂や水の重量を含めた重石１が、縦支柱固定台６１２を上から押圧して重石として作用する。加えて、図６（ａ）に示すように、挿通孔３の高さ方向中間位置に垂直方向に延びる円筒状の孔として縦支柱支持部３１が、縦支柱６１１に沿う形状となされているため、縦支柱６１１の水平方向の揺動を抑制するので、強風や暴風が吹いた際にも物干し台６１の転倒を好適に防止することができる。
【００２２】
図６は、また別の形態の物干し具７用の重石として使用した使用状態を示す図である。ここに示す物干し具７は、棒状体からなる２本の脚部７１１が軸７２を軸としてＸ字状に交差軸着され開閉自在となされた脚体７１が左右一対に設けられ、当該一対の脚体７１の上端部間に物干し用横桟７３が差し渡されてなるものであり、重石１は脚部７１１の下端部を押さえる重石として使用される。
【００２３】
この使用状態に示すように、重石１は、その挿通孔３に物干し具７の脚部７１１の下端部を挿通させて使用することができる。本実施形態における重石１の挿通孔３は、上述のとおり、重石本体２を上下方向に貫通する貫通孔となされ、その高さ方向中間位置に垂直方向に延びる円筒状の孔として縦支柱支持部３１が形成され、また縦支柱支持部３１の上側に隣接して上方に向かうにつれ重石本体２の長手方向に拡径するテーパ状の孔として脚部支持部３２が形成されると共に、縦支柱支持部３１の下側に隣接して下方に向かうにつれ重石本体２の長手方向に拡径するテーパ状の孔として脚部支持部３３が形成されている。
【００２４】
図６（ｂ）に示すように、この脚部支持部３２、３３が、物干し具７の脚部７１１の傾きに沿った角度に傾斜したテーパ状となされており、これによって脚部７１１の動きを規制して強風時の揺動を抑制することができ、物干し具７が転倒したり、風で吹き飛ばされたりすることを防止することが可能となる。尚、この脚部支持部３２、３３の形態は、図面に示した形態に限られず、使用対象とする物干し具の脚部の形状や傾きに応じた形態、形状にて作製すればよく、更には、例えば上記テーパ状部に複数のリブを形成したり、あるいは凹凸を設けたりして、より好適に脚部７１１の揺動を押さえるようにすることができる。尚、図５に示した使用状態によれば、４本の脚部７１１の全てに重石２を設置しているが、これに限られず任意に１〜４本の脚部７１１に用いてよい。
【００２５】
図７は、また別の物干し具８に使用した使用状態を示す図である。ここに示す物干し具８は、複数のパイプ材とジョイント部材により物干し台８１を形成し、当該物干し台を左右に一対、所定間隔を空けて配置すると共に左右物干し台８１、８１間に物干し竿を差し渡して用いる物干し具である。ここに示す使用状態は、上記物干し台８１の土台を構成するパイプ材８１５の上に、重石２を載置して使用する状態を示している。本実施形態の重石１における重石本体２の底面部には、図２（ｂ）〜（ｅ）及び図３に示すように、当該底面部を半円筒状に凹ませた溝部２６が十字状に形成されており、この溝部２６に嵌め合わせるようにして重石１を上記パイプ材８１５上に載置すれば、重石１のガタ付きを抑制することができる。溝部２６の形状は、ここに示す形状に限られることなく、パイプ材８１５の形状に応じて変更可能であり、また溝部２６の形成位置についても同様である。
【００２６】
以上、本発明に係る物干し具について、実施形態に基づいて説明したが、本発明は、上述した実施形態に限定されるものではない。本発明の要旨を逸脱しない範囲内で当業者が思いつく各種変形を施したものも本発明の範囲内に含まれる。
【産業上の利用可能性】
【００２７】
本発明によれば、重石本体に物干し具の縦支柱又は脚部を挿通させるための挿通孔が設けられ、当該挿通孔は、重石本体を略上下方向に貫通する貫通孔となされると共に、前記縦支柱を支持して略垂直方向に保持する縦支柱支持部と、所定角度に傾けて設置される前記脚部を支持して前記所定角度に保持する脚部支持部とを備えるようにしているため、様々な種類、形態の物干し具用の重石として使用でき、物干し具が強風や暴風で転倒したり、吹き飛ばされたりするのを防止する物干し具用の重石を提供することが可能となる。
【符号の説明】
【００２８】
１    物干し具用重石
２    重石本体
２１  支持脚
３    挿通孔
３１  縦支柱支持部
３２  脚部支持部
３３  脚部支持部
４    持ち手
５    キャップ
６    物干し具
６１  縦支柱
７    物干し具
７１  脚部
８    物干し具
【図１】
2020081729.tif 000003
【図２】
2020081729.tif 000004
【図３】
2020081729.tif 000005
【図４】
2020081729.tif 000006
【図５】
2020081729.tif 000007
【図６】
2020081729.tif 000008
【図７】
2020081729.tif 000009